(57)【要約】【課題】ワットメータボックスの近傍へ新たな機器を設置するにあたって、その設置を容易に行うことができるキャビネットを提供する。【解決手段】基台３に、ワットメータボックスＷが通過可能な基台開口４と、ワットメータボックスＷ側から延びるケーブル４３、４３・・が接続される漏電ブレーカ４１等を収納する機器収納ボックス部５とを設けた。また、機器収納ボックス部５を、基台３の表面から前方へ一体的に突設され、上下左右を囲って前面が開口する周壁部６と、前カバー２とは別に周壁部の前面開口を開閉する蓋部材７で構成した。【選択図】図２
2018194368.tif 000002
【特許請求の範囲】
【請求項１】
設置面に固定される基台と、前記基台の前面を覆うように組み付けられる前カバーとを備えており、前記基台と前記前カバーとにより囲まれる空間にワットメータボックスを収納した状態で設置されるキャビネットであって、
前記基台に、前記ワットメータボックスが通過可能な基台開口と、前記ワットメータボックス側から延びるケーブルが接続される機器を収納する機器収納ボックス部とが設けられているとともに、
前記機器収納ボックス部が、前記基台の表面から前方へ一体的に突設され、上下左右を囲って前面が開口する周壁部と、前記前カバーとは別に前記周壁部の前面開口を開閉する蓋部材とを有することを特徴とするキャビネット。
【請求項２】
前記基台開口の下方に前記機器収納ボックス部が設けられ、前記機器収納ボックス部に漏電ブレーカが収納可能であるとともに、
前記機器収納ボックス部の上面で、前記機器収納ボックス部に収納された前記漏電ブレーカの端子の直上となる位置に、前記ケーブルを引き込むための挿通孔が開設されていることを特徴とする請求項１に記載のキャビネット。
【発明の詳細な説明】
【技術分野】
【０００１】
本発明は、既設のワットメータボックスを収納するように組み付けられるキャビネットに関するものである。
【背景技術】
【０００２】
従来、住戸の外壁等には、たとえば特許文献１に記載されているようなワットメータを収納したワットメータボックスが設置されている。また、たとえば電気自動車の充電システムを後付けする等の理由により、開閉器や各種遮断器、使用電力量をコントロール・監視するための電子機器を新たに設置する状況も考えられる。そして、そのような機器を新たに設置するにあたっては、配線作業等を考慮すると、従来のワットメータボックスの近傍への設置が望ましい。
【先行技術文献】
【特許文献】
【０００３】
【特許文献１】特開２００４−２３９８４号公報
【発明の概要】
【発明が解決しようとする課題】
【０００４】
しかしながら、ワットメータボックスの近傍への新たな機器の設置を目的としたキャビネットは考案されていない。
【０００５】
そこで、本発明は、上記問題に鑑みなされたものであって、ワットメータボックスの近傍へ新たな機器を設置するにあたって、その設置を容易に行うことができるキャビネットを提供しようとするものである。
【課題を解決するための手段】
【０００６】
上記目的を達成するために、本発明のうち請求項１に記載の発明は、設置面に固定される基台と、前記基台の前面を覆うように組み付けられる前カバーとを備えており、前記基台と前記前カバーとにより囲まれる空間にワットメータボックスを収納した状態で設置されるキャビネットであって、前記基台に、前記ワットメータボックスが通過可能な基台開口と、前記ワットメータボックス側から延びるケーブルが接続される機器を収納する機器収納ボックス部とが設けられているとともに、前記機器収納ボックス部が、前記基台の表面から前方へ一体的に突設され、上下左右を囲って前面が開口する周壁部と、前記前カバーとは別に前記周壁部の前面開口を開閉する蓋部材とを有することを特徴とする。
請求項２に記載の発明は、請求項１に記載の発明において、前記基台開口の下方に前記機器収納ボックス部が設けられ、前記機器収納ボックス部に漏電ブレーカが収納可能であるとともに、前記機器収納ボックス部の上面で、前記機器収納ボックス部に収納された前記漏電ブレーカの端子の直上となる位置に、前記ケーブルを引き込むための挿通孔が開設されていることを特徴とする。
【発明の効果】
【０００７】
本発明によれば、基台に、ワットメータボックスが通過可能な基台開口を設けているため、たとえば住戸の外壁等に既設のワットメータボックスに対しても、ワットメータボックスを取り外すことなく収納して設置することができ、設置に係る作業の簡易化を図ることができる。
さらに、基台に、ワットメータボックス側から延びるケーブルが接続される機器を収納する機器収納ボックス部が設けられているため、ワットメータボックスの近傍への新たな機器の設置作業を簡易に行うことができる。
加えて、機器収納ボックス部の周壁部を、基台の表面から前方へ一体的に突設しているため、防水性の高い構造となっている。
また、請求項２に記載の発明によれば、基台開口の下方に機器収納ボックス部が設けられ、機器収納ボックス部に漏電ブレーカが収納可能であるとともに、機器収納ボックス部の上面で、機器収納ボックス部に収納された漏電ブレーカの端子の直上となる位置に、ケーブルを引き込むための挿通孔が開設されているため、機器収納ボックス部の内側でケーブルを曲げずともよく、接続作業が簡易であるし、断線等のおそれもない。
【図面の簡単な説明】
【０００８】
【図１】キャビネットの外観を示した説明図であり、（ａ）は正面図、（ｂ）は側面図、（ｃ）は底面図である。
【図２】前カバーが取り外されたキャビネットを示した斜視説明図である。
【図３】スライドカバーを開放側へスライドさせた状態を示した説明図である。
【図４】前カバーとスライドカバーとの係合状態を示した説明図である。
【図５】キャビネット内において、ワットメータボックス側と漏電ブレーカとがケーブルにより接続されている状態を示した説明図である。
【図６】機器収納ボックス部における配線部を拡大して示した説明図である。
【発明を実施するための形態】
【０００９】
以下、本発明の一実施形態となるキャビネットについて、図面にもとづき詳細に説明する。
【００１０】
図１は、キャビネット１の外観を示した説明図であり、（ａ）は正面図、（ｂ）は側面図、（ｃ）は底面図である。図２は、前カバー２が取り外されたキャビネット１を示した斜視説明図である。図３は、スライドカバー２２を開放側へスライドさせた状態を示した説明図である。図４は、前カバー２とスライドカバー２２との係合状態を示した説明図である。図５は、キャビネット１内において、ワットメータボックスＷ側と漏電ブレーカ４１とがケーブル４３、４３・・により接続されている状態を示した説明図である。図６は、機器収納ボックス部５における配線部８を拡大して示した説明図である。
【００１１】
キャビネット１は、基台３と、基台３の前側を覆うように基台３に組み付けられる前カバー２とを備えてなる。基台３は、上下方向へ長い板状の部材であって、当該基台３の上部には、ワットメータボックスＷが通過可能、すなわち上下長さがワットメータボックスＷの上下長さよりも長く、且つ、左右長さがワットメータボックスＷの左右長さよりも長い正面視矩形の基台開口４が開設されている。また、基台３における基台開口４の下方には、漏電ブレーカ４１と複数の分岐ブレーカ４２、４２・・とを収納可能な機器収納ボックス部５が設けられている。
【００１２】
機器収納ボックス部５は、基台３の表面（前面）から前方へ突出する上壁部６ａ、左右一対の側壁部６ｂ、６ｂ、及び下壁部６ｃを一連に有して、その内部が収納空間とされているとともに、前側に開口する周壁部６と、周壁部６に対して着脱自在で、前カバー２とは別に周壁部６の開口を開閉する蓋部材７とを備えてなる。周壁部６は、基台３と一体成形されてなり、上壁部６ａには、ワットメータボックスＷ側から延びるケーブル４３、４３・・を機器収納ボックス部５内へ引き込むための配線部８が設けられている。該配線部８は、上壁部６ａの前端側において左右方向に並設された複数の挿通孔９、９・・と、上壁部６ａから上方へ一体的に突出しているとともに、各挿通孔９を囲むように配されている環状リブ１０、１０・・とからなる。また、下壁部６ｃには、下方へせり出した位置決め段部１１が設けられており、当該位置決め段部１１に、分岐ブレーカ４２等から延びるケーブル（図示せず）を機器収納ボックス部５外へ引き出すための引き出し口１２、１２が開設されている。尚、蓋部材７の後面側には、周壁部６の開口を閉塞する際に周壁部６の前端面に当接して、機器収納ボックス部５内への水の浸入を防止するパッキン（図示せず）が取り付けられている。
【００１３】
一方、前カバー２は、上下長さ、左右長さ共に基台３と略同じとされているとともに、上面、左右側面、前面、及び下面を有して、後側に開口するカバー体である。そして、前カバー２の前面上部には、透明な合成樹脂により成形されて、ワットメータボックスＷを視認可能とする窓２１が設けられている。また、前カバー２の下面には、機器収納ボックス部５の位置決め段部１１が嵌まり込み可能な切り欠き２６が設けられている。さらに、前カバー２の前面下部には、機器収納ボックス部５を露出可能なカバー開口２３が設けられているとともに、上下方向へスライドしてカバー開口２３を開閉し、機器収納ボックス部５を露出／被覆するスライドカバー２２が取り付けられている。
【００１４】
スライドカバー２２は、正面視略矩形の板体であって、その上面には、上方へ突出して左右方向へ延びる２列の係合リブ２４、２４が、スライドカバー２２の厚み方向（前後方向）に所定間隔を隔てて並設されている。また、同様に、スライドカバー２２の左右両側面にも左右外側へ突出して上下方向へ延びる２列の係合リブ２４、２４が、スライドカバー２２の厚み方向に所定間隔を隔てて並設されている。一方、カバー開口２３の開口上縁部には、開口内側（ここでは下側）へ向かって開く一組の溝２５、２５が、前後方向へ所定間隔を隔てて左右方向へ延設されている。また、カバー開口２３の開口側縁部にも、開口内側（ここでは左側若しくは右側）へ向かって開く一組の溝２５、２５が、前後方向へ所定間隔を隔てて上下方向へ延設されている。なお、２２ａは、スライドカバー２２を後述する被覆位置で保持するための施錠部である。
【００１５】
ここで、上記前カバー２及び基台３を有するキャビネット１の設置について説明すると、まず住戸の外壁等の設置面に既設のワットメータボックスＷに対し、基台開口４内にワットメータボックスＷを位置させつつ、言い換えれば基台開口４を介してワットメータボックスＷを基台３の前面側へ突出させつつ、基台３をワットメータボックスＷと同じ設置面に固定する。次に、当該基台３に対し、切り欠き２６内に位置決め段部１１を位置させて位置決めしつつ、ワットメータボックスＷごと基台３の前面側を覆うように前カバー２を組み付ければよい。すると、前カバー２及び基台３で囲まれる空間にワットメータボックスＷが収納された状態で、キャビネット１が設置されることになる。
【００１６】
また、機器収納ボックス部５への機器の取り付けは、基台３の設置面への固定後に行えばよい。すなわち、本実施形態では、基台３の設置面への固定後に、機器収納ボックス部５内へ漏電ブレーカ４１や分岐ブレーカ４２、４２・・を取り付ける。また、漏電ブレーカ４１とワットメータボックスＷ内のワットメータとをケーブル４３、４３・・により電気的に接続する。このとき、挿通孔９、９・・は、漏電ブレーカ４１の端子の直上に位置しており、機器収納ボックス部５内でケーブル４３、４３・・を曲げることなく、ケーブル４３、４３・・を漏電ブレーカ４１の端子へ接続することができる。加えて、配線部８では、ケーブル４３、４３・・の挿通孔９、９・・への挿通後、各挿通孔９周りをパテＰ（たとえばシリコン）で塞ぐことになるが、本実施形態では、環状リブ１０で囲まれた凹部内にパテＰを埋め込めばよい。
【００１７】
さらに、前カバー２の下部において、スライドカバー２２は、左右の係合リブ２４、２４をカバー開口２３の開口側縁部の溝２５、２５に夫々係合させた状態で取り付けられている。したがって、係合リブ２４、２４が溝２５、２５に案内されながら上下方向へ移動することにより、スライドカバー２２が上下方向へスライドすることになる。また、スライドカバー２２を最も上方となる被覆位置に位置させると、スライドカバー２２の上面の係合リブ２４、２４がカバー開口２３の開口上縁部の溝２５、２５に係合した状態となる。
【００１８】
以上のような構成を有するキャビネット１によれば、基台３に、ワットメータボックスＷが通過可能な基台開口４を設けているため、たとえば住戸の外壁等に既設のワットメータボックスＷに対しても、ワットメータボックスＷを取り外すことなく収納して設置することができ、設置に係る作業の簡易化を図ることができる。
【００１９】
また、基台３に、ワットメータボックスＷ側から延びるケーブル４３、４３・・が接続される漏電ブレーカ４１に加え、分岐ブレーカ４２、４２等をも収納する機器収納ボックス部５が設けられているため、ワットメータボックスＷの近傍への新たな機器の設置作業を簡易に行うことができる。さらに、機器収納ボックス部５において、収納空間の上下左右を囲む周壁部６を、基台３の表面から前方へ一体的に突設しているため、防水性の高い構造となっている。
【００２０】
さらにまた、基台開口４の下方に設けられた機器収納ボックス部５の上面（周壁部６の上壁部６ａ）で、機器収納ボックス部５に収納された漏電ブレーカ４１の端子の直上となる位置に、ケーブル４３、４３・・を引き込むための挿通孔９、９・・が開設されているため、機器収納ボックス部５の内側でケーブル４３、４３を曲げずともよく、接続作業が簡易であるし、断線等のおそれもない。
【００２１】
またさらに、ケーブル４３を挿通させるための挿通孔９、９・・を囲むように、上壁部６ａから上方へ一体的に突出する環状リブ１０、１０・・を設けているため、ケーブル４３、４３・・の挿通孔９、９・・への挿通後に各挿通孔９周りをパテＰで塞ぐにあたり、環状リブ１０で囲まれた凹部内にパテＰを埋め込めばよい。したがって、パテＰの量が多すぎたり少なすぎたりすることなく、適量のパテＰによって挿通孔９を簡易に、且つ確実に塞ぐことができる。
【００２２】
加えて、スライドカバー２２の上面に、上方へ突出して左右方向へ延びる２列の係合リブ２４、２４が、スライドカバー２２の厚み方向に所定間隔を隔てて並設されている一方、前カバー２のカバー開口２３の開口上縁部には、開口内側へ向かって開く一組の溝２５、２５が、前後方向へ所定間隔を隔てて左右方向へ延設されている。そして、スライドカバー２２を被覆位置に位置させると、係合リブ２４、２４が溝２５、２５に係合するようにしている。したがって、当該箇所からの水の浸入を効果的に防止することができる。
【００２３】
なお、本発明のキャビネットに係る構成は、上記実施形態の態様に何ら限定されるものではなく、キャビネットの全体的な構造は勿論、前カバーや基台に係る構成等についても、本発明の趣旨を逸脱しない範囲で、必要に応じて適宜変更することができる。
【００２４】
たとえば、上記実施形態では、基台開口の下方に機器収納ボックス部を配置しているが、基台開口の側方や上方に機器収納ボックス部を設けてもよいし、１つの基台に複数の機器収納ボックス部を設けることも可能である。そして、機器収納ボックス部に設ける挿通孔の位置については、言うまでもなく適宜設計変更可能である。
また、上記実施形態では、各挿通孔毎に１つの環状リブを設けているが、複数の挿通孔を１つの環状リブで囲むように構成してもよいし、そのような環状リブを設けないとしてもよい。なお、環状リブを必要に応じて着脱自在に構成することも可能である。
【００２５】
さらに、前カバーにスライドカバーを設けているが、スライドカバーを備えていない前カバーを採用することも可能である。また、スライドカバーについても、上下方向ではなく、左右方向にスライドして内部を露出／被覆するように構成してもよいし、前カバーの前面ではなく、側面に設けるとしてもよい。
【００２６】
さらにまた、上記実施形態では、機器収納ボックス部に収納する機器として、漏電ブレーカや分岐ブレーカを提示しているが、たとえば使用電力量を監視したりコントロールしたりする電子機器を収納してもよい。またさらに、機器収納ボックス部の蓋部材に施錠機構を設けても何ら問題はない。
【符号の説明】
【００２７】
１・・キャビネット、２・・前カバー、３・・基台、４・・基台開口、５・・機器収納ボックス部、６・・周壁部、７・・蓋部材、８・・配線部、９・・挿通孔、１０・・環状リブ、２２・・スライドカバー、２４・・係合リブ、２５・・溝、４１・・漏電ブレーカ、４３・・ケーブル、Ｐ・・パテ、Ｗ・・ワットメータボックス。
【図１】
2018194368.tif 000003
【図２】
2018194368.tif 000004
【図３】
2018194368.tif 000005
【図４】
2018194368.tif 000006
【図５】
2018194368.tif 000007
【図６】
2018194368.tif 000008